(57)【要約】【課題】一度に多数の粒状物が出てしまわないように制限しつつ、内部での詰まりがより生じにくくなる粒状物収納容器用キャップを提案する。【解決手段】本発明の粒状物収納容器用キャップ１Ａは、粒状物を収納する容器の口部に装着されるキャップ本体２を備え、キャップ本体２の天壁７に、容器の粒状物を取り出すための開口９を備え、天壁７の下面に連結するとともに開口９の下方に向けて延在する第一支柱１１、第二支柱１２、及び第三支柱１３を有し、第一支柱１１、第二支柱１２、及び第三支柱１３を互いに連結したことを特徴とする。【選択図】図１
2020037416.tif 000002
【特許請求の範囲】
【請求項１】
粒状物を収納する容器の口部に装着されるキャップ本体を備え、該キャップ本体の天壁に、該容器の粒状物を取り出すための開口を備える粒状物収納容器用キャップにおいて、
前記天壁の下面に連結するとともに該開口の下方に向けて延在する第一支柱、第二支柱、及び第三支柱を有し、該第一支柱、第二支柱、及び第三支柱を互いに連結してなる粒状物収納容器用キャップ。
【請求項２】
前記第一支柱、前記第二支柱、及び前記第三支柱は、一端部と他端部が前記天壁の下面に連結するとともに中間部が前記開口の下方に向けて延在するものであって、
前記第一支柱の一端部と前記第二支柱の一端部を連結し、該第一支柱の他端部と前記第三支柱の一端部を連結し、該第二支柱の他端部と該第三支柱の他端部を連結してなる請求項１に記載の粒状物収納容器用キャップ。
【請求項３】
前記第一支柱、前記第二支柱、及び前記第三支柱は、一端部が前記天壁の下面に連結するとともに他端部が前記開口の下方に向けて延在するものであって、
前記第一支柱の他端部、前記第二支柱の他端部、及び前記第三支柱の他端部を互いに連結してなる請求項１に記載の粒状物収納容器用キャップ。
【請求項４】
前記第一支柱の一端部と前記第二支柱の一端部との間隔を、該第一支柱の一端部と前記第三支柱の一端部との間隔、及び該第二支柱の一端部と該第三支柱の一端部との間隔よりも広くしてなる請求項３に記載の粒状物収納容器用キャップ。
【請求項５】
前記天壁の下面に、前記開口から径方向外側に離れる向きに間隔をあけて設けられる複数のリブを有し、該リブは径方向外側に向かって並ぶ順で該天壁からの突出量が大きくなる請求項１〜４の何れか一項に記載の粒状物収納容器用キャップ。
【発明の詳細な説明】
【技術分野】
【０００１】
本発明は、錠剤やカプセルなどの粒状物を収納する容器に装着され、開口を通して粒状物を取り出すことができる粒状物収納容器用キャップに関する。
【背景技術】
【０００２】
例えば菓子や薬剤においては、一般に錠菓や錠剤と称され、圧縮成形などによって一定の形に整えられた固形の粒状物が流通している。また薬液を収容したカプセル状の粒状物も広く使用されている。このような粒状物を収容する容器においては、例えば特許文献１に示すように、容器の口部に装着されるとともに粒状物が通過する開口（取出し口）を備えるキャップを設けることが一般的である。このようなキャップによれば、容器を傾倒させることによって（必要に応じてその状態で容器を振り出すことによって）、粒状物を取り出すことができる。すなわち、粒状物を取り出すにあたって容器内に指を入れてこれを摘まみ出す必要がないため、手間がかからないうえ、衛生的にも優れている。
【先行技術文献】
【特許文献】
【０００３】
【特許文献１】実開平６−１２３８１号公報
【発明の概要】
【発明が解決しようとする課題】
【０００４】
ところで特許文献１のキャップでは、取出し口の手前に設けた遮蔽板によって粒状物が通る通路を狭め、容器を傾けた際に一度に多数の粒状物が出ないようにしている。しかし、通路が狭まった部分に複数の粒状物が同時に入り込むと、この狭まったところで粒状物が詰まることがあった。
【０００５】
本発明は、このような点に鑑みてなされたものであり、一度に多数の粒状物が出てしまわないように制限しつつ、内部での詰まりがより生じにくくなる粒状物収納容器用キャップを提供することを目的とする。
【課題を解決するための手段】
【０００６】
本発明は、粒状物を収納する容器の口部に装着されるキャップ本体を備え、該キャップ本体の天壁に、該容器の粒状物を取り出すための開口を備える粒状物収納容器用キャップにおいて、
前記天壁の下面に連結するとともに該開口の下方に向けて延在する第一支柱、第二支柱、及び第三支柱を有し、該第一支柱、第二支柱、及び第三支柱を互いに連結してなる粒状物収納容器用キャップである。
【０００７】
前記第一支柱、前記第二支柱、及び前記第三支柱は、一端部と他端部が前記天壁の下面に連結するとともに中間部が前記開口の下方に向けて延在するものであって、
前記第一支柱の一端部と前記第二支柱の一端部を連結し、該第一支柱の他端部と前記第三支柱の一端部を連結し、該第二支柱の他端部と該第三支柱の他端部を連結することが好ましい。
【０００８】
前記第一支柱、前記第二支柱、及び前記第三支柱は、一端部が前記天壁の下面に連結するとともに他端部が前記開口の下方に向けて延在するものであって、
前記第一支柱の他端部、前記第二支柱の他端部、及び前記第三支柱の他端部を互いに連結することが好ましい。
【０００９】
前記第一支柱の一端部と前記第二支柱の一端部との間隔を、該第一支柱の一端部と前記第三支柱の一端部との間隔、及び該第二支柱の一端部と該第三支柱の一端部との間隔よりも広くすることが好ましい。
【００１０】
前記天壁の下面に、前記開口から径方向外側に離れる向きに間隔をあけて設けられる複数のリブを有し、該リブは径方向外側に向かって並ぶ順で該天壁からの突出量が大きくなることが好ましい。
【発明の効果】
【００１１】
本発明に従う粒状物収納容器用キャップでは、天壁の下面に連結するとともに開口の下方に向けて延在する３つの支柱によって、開口に向かう粒状物の移動を制限している。このため容器を傾倒させても、一度に多数の粒状物が出てしまうことがない。また本発明では、隣り合う支柱間に設けられる３つの隙間が粒状物の通路として機能する。このため、容器を傾倒させることによって移動する複数の粒状物のうち、仮に２つの隙間に対して粒状物が同時に入り込むことがあっても、残りの隙間が粒状物の逃げ場として機能するため、粒状物が詰まることがない。換言すると、３つの粒状物が３つの隙間に同時に入り込まない限り、途中で粒状物が止まることがないため、粒状物が詰まる頻度を減らすことができる。
【図面の簡単な説明】
【００１２】
【図１】本発明に従う粒状物収納容器用キャップの第一実施形態を示した側面視での断面図である。
【図２】（ａ）は図１に示した粒状物収納容器用キャップの平面図であり、（ｂ）はその底面図である。
【図３】本発明に従う粒状物収納容器用キャップの第二実施形態を示した側面視での断面図である。
【図４】（ａ）は図３に示した粒状物収納容器用キャップの平面図であり、（ｂ）はその底面図である。
【図５】本発明に従う粒状物収納容器用キャップの第三実施形態を示した側面視での断面図である。
【図６】（ａ）は図５に示した粒状物収納容器用キャップの平面図であり、（ｂ）はその底面図である。
【発明を実施するための形態】
【００１３】
まず、本発明に従う粒状物収納容器用キャップの第一実施形態について、図１、図２を参照しながら説明する。なお、本明細書等において、「上」側、「下」側とは、図１に示す状態（天壁（符号７）に対して取出筒（符号１０）が上方に位置する状態）での向きをいう。また本実施形態の粒状物収納容器用キャップにおいて取り出される粒状物の形状は、平面視で円形をなすとともに中央部に対して縁部の厚みが薄くなっているものである。
【００１４】
本実施形態の粒状物収納容器用キャップ１Ａは、キャップ本体２と蓋体３とを備えていて、キャップ本体２と蓋体３との間にはヒンジ４が設けられている。
【００１５】
キャップ本体２は、円筒状をなし、不図示の容器に装着した際に容器の口部を取り囲む外周壁５を備えている。外周壁５の内周面には、口部の外周面に設けた雄ねじ部に係合する雌ねじ部６が設けられていて、雄ねじ部に対して雌ねじ部６を螺合させることによって、キャップ本体２は容器に装着される。外周壁５の上端には、円板状をなすとともに容器に装着した際に口部の上方を覆う天壁７が設けられている。また天壁７の下面には、環状をなすとともに外周面が口部の内周面に対して気密に当接するシール壁８が設けられている。
【００１６】
また天壁７には、これを貫く円形の開口９が設けられている。本実施形態の開口９は、１つの粒状物が通過できる程の外径で形作られていて、天壁７におけるヒンジ４が位置する側と反対側の縁部に寄せて設けられている。また天壁７の上面において、開口９の縁部には、上方に向けて起立するとともに内周面が上方に向かうにつれて拡径する取出筒１０が設けられている。
【００１７】
そして天壁７の下面には、３つの支柱（第一支柱１１、第二支柱１２、及び第三支柱１３）が設けられている。第一支柱１１、第二支柱１２、及び第三支柱１３は、全てＵ字状をなすものであって、各支柱の両端部が天壁７の下面に連結するとともに各支柱の中間部は開口９の下方に向けて延在している。具体的には図２（ｂ）に示すように、第一支柱１１の一端部１４と他端部１５は、開口９の縁部に連結していて、一端部１４と他端部１５から下方に向かって延在する中間部１６は、開口９を跨ぐように設けられている。同様に、第二支柱１２の一端部１７と他端部１８は、開口９の縁部に連結していて、中間部１９は開口９を跨ぐように設けられている。また、第三支柱１３の一端部２０と他端部２１は、開口９の縁部に連結していて、中間部２２は開口９を跨ぐように設けられている。更に、第一支柱１１の一端部１４と第二支柱１２の一端部１７が連結し、第一支柱１１の他端部１５と第三支柱１３の一端部２０が連結し、第二支柱１２の他端部１８と第三支柱１３の他端部２１が連結している。ここで、図２（ｂ）に示すようにこれらの端部は、開口９に対して周方向に等間隔で設けられている。また、第一支柱１１の一端部１４と他端部１５の相互間、第二支柱１２の一端部１７と他端部１８の相互間、第三支柱１３の一端部２０と他端部２１の相互間には、１つの粒状物が通過できる程度の隙間が形成されている。なお、第一支柱１１、第二支柱１２、及び第三支柱１３が連結することによって、図２（ｂ）に示すように中間部１６、中間部１９、及び中間部２２の間には孔ｈが形成されるが、この孔ｈは粒状物が通過できない大きさとなっている。
【００１８】
蓋体３は、ヒンジ４で折り曲げた際に外周壁５に連なる蓋体外周壁２３を備えている。蓋体外周壁２３の内側には、円形をなす蓋体頂壁２４が設けられている。また蓋体頂壁２４において、蓋体外周壁２３の径方向内側には、蓋体外周壁２３よりも高さの低い環状壁２５が設けられていて、環状壁２５の内側には、蓋体３を閉じた際に取出筒１０と開口９の内周面に対して気密に当接する蓋体シール壁２６が設けられている。
【００１９】
このような形態になる粒状物収納容器用キャップ１Ａを装着した容器から粒状物を取り出すにあたっては、開口９が下方に位置する（開いた蓋体３が上方に位置する）ようにして容器を傾倒させる。これにより容器に収納した粒状物は、第一支柱１１、第二支柱１２、及び第三支柱１３向かって移動する。そして、第一支柱１１の一端部１４と他端部１５の相互間、第二支柱１２の一端部１７と他端部１８の相互間、第三支柱１３の一端部２０と他端部２１の相互間に形成された何れかの隙間を通過し、更に開口９を通り抜けて取り出される。
【００２０】
なお、容器を傾倒させた際に複数の粒状物が第一支柱１１、第二支柱１２、及び第三支柱１３に向かって移動して、仮に２つの隙間に対して粒状物が同時に入り込むことがあっても、残りの隙間が粒状物の逃げ場として機能するため、粒状物が詰まることがない。すなわち、３つの粒状物が３つの隙間に同時に入り込まない限り、途中で粒状物が止まることがないため、粒状物が詰まる頻度を減らすことができる。
【００２１】
次に、本発明に従う粒状物収納容器用キャップの第二実施形態について、図３、図４を参照しながら説明する。なお、前述の実施形態のものと実質的に共通するものについては、図面に同一の符号を付して説明は省略する。
【００２２】
本実施形態の粒状物収納容器用キャップ１Ｂは、上述した第一支柱１１、第二支柱１２、及び第三支柱１３に替えて、第一支柱２７、第二支柱２８、及び第三支柱２９を備えている。なお本実施形態の開口９も、天壁７におけるヒンジ４が位置する側と反対側の縁部に寄せて設けられていて、第一支柱２７と第二支柱２８は、この寄せられた縁部側に位置している。
【００２３】
第一支柱２７は、図４（ｂ）に示すように一端部３０が開口９の縁部に連結している。またその形状は、図３に示す第三支柱２９のように、側面視において湾曲するように開口９の下方に向けて延在している。そして第一支柱２７の他端部３１は、図４（ｂ）に示すように開口９の中心軸線上に位置している。また第二支柱２８及び第三支柱２９も、それぞれの一端部３２、３４が開口９の縁部に連結していて、そこから湾曲するように開口９の下方に向けて延在し、それぞれの他端部３３、３５は開口９の中心軸線上に位置している。なお、他端部３１、３３、３５は互いに連結している。また、第一支柱２７の一端部３０と第二支柱２８の一端部３２の相互間、第二支柱２８の一端部３２と第三支柱２９の一端部３４の相互間、及び第三支柱２９の一端部３４と第一支柱２７の一端部３０との相互間には、粒状物が通過する隙間が形成されている。なお、一端部３０と一端部３２の間隔は、他の端部間の間隔よりも広くなっている。
【００２４】
本実施形態の粒状物収納容器用キャップ１Ｂも、開口９が下方に位置する（開いた蓋体３が上方に位置する）ようにして容器を傾倒させることによって、容器内の粒状物は第一支柱２７、第二支柱２８、及び第三支柱２９に向かって移動し、第一支柱２７の一端部３０と第二支柱２８の一端部３２の相互間、第二支柱２８の一端部３２と第三支柱２９の一端部３４の相互間、及び第三支柱２９の一端部３４と第一支柱２７の一端部３０の相互間に形成された何れかの隙間を通過し、更に開口９を通り抜けて取り出される。
【００２５】
なお、一端部３０と一端部３２の相互間の隙間は、容器を傾倒させた際、他の２つの隙間よりも下方に位置し、また他の２つの隙間よりも間隔が広くなっている。すなわち粒状物は、他の２つの隙間よりも一端部３０と一端部３２の相互間の隙間の方により入りやすいため、３つの粒状物が３つの隙間に同時に入り込む状況が発生しにくくなっている。よって本実施形態の粒状物収納容器用キャップ１Ｂにおいても、粒状物が詰まる頻度が少なくなる。
【００２６】
本発明に従う粒状物収納容器用キャップは、図５、図６に示す如き第三の実施形態であってもよい。なお、本実施形態を説明するにあたっても、前述の実施形態と実質的に共通するものについては図面に同一の符号を付して説明は省略する。
【００２７】
本実施形態の粒状物収納容器用キャップ１Ｃは、第一実施形態における第一支柱１１、第二支柱１２、及び第三支柱１３に替えて、第一支柱３６、第二支柱３７、及び第三支柱３８を備えている。
【００２８】
第一支柱３６は、図５、図６（ｂ）に示すように一端部３９が開口９の縁部に連結していて、側面視においてＬ字状に折れ曲がるようにして開口９の下方に向けて延在している。また第一支柱の他端部４０は、開口９の中心軸線上に位置している。また第二支柱３７及び第三支柱３８も、それぞれの一端部４１、４３が開口９の縁部に連結していて、そこからＬ字状に折れ曲がるようにして開口９の下方に向けて延在し、それぞれの他端部４２、４４は開口９の中心軸線上に位置している。なお、他端部４０、４２、４４は互いに連結している。また、第一支柱３６の一端部３９と第二支柱３７の一端部４１の相互間、第二支柱３７の一端部４１と第三支柱３８の一端部４３の相互間、及び第三支柱３８の一端部４３と第一支柱３６の一端部３９との相互間には、粒状物が通過する隙間が形成されている。なお、一端部３９、４１、４３は、開口９に対して周方向に等間隔で設けられている。
【００２９】
更に本実施形態の粒状物収納容器用キャップ１Ｃは、天壁７の下面におけるヒンジ４を設けた側において、開口９から径方向外側に離れる向きに間隔をあけて設けられる第一リブ４５、第二リブ４６、第三リブ４７を備えている。図５に示すように第一リブ４５、第二リブ４６、第三リブ４７は、径方向外側に向かって並ぶ順で、天壁７の下面からの突出量が大きくなる（換言すると、径方向外側に位置する第三リブ４７から径方向内側に位置する第一リブ４５に向かって天壁７の下面からの高さが小さくなる）ように設けられている。なお、第一リブ４５は底面視において半円弧状であり、第二リブ４６は、半円よりも延在長さが長い円弧状であり、第三リブ４７は円環状である。
【００３０】
このような粒状物収納容器用キャップ１Ｃにおいても、容器を傾倒させることによって、容器内の粒状物は第一支柱３６、第二支柱３７、及び第三支柱３８に向かって移動し、第一支柱３６の一端部３９と第二支柱３７の一端部４１の相互間、第二支柱３７の一端部４１と第三支柱３８の一端部４３の相互間、及び第三支柱３８の一端部４３と第一支柱３６の一端部３９との相互間に形成された何れかの隙間を通過し、更に開口９を通り抜けて取り出される。
【００３１】
ここで本実施形態においては、ヒンジ４を設けた側に第一リブ４５、第二リブ４６、第三リブ４７を設けている。また、第三リブ４７、第二リブ４６、第一リブ４５の順に天壁７の下面からの突出量が小さくなっている。このため、容器を傾倒させた際に天壁７側に寄せられる粒状物は、次第に高さが低くなる第三リブ４７、第二リブ４６、第一リブ４５によって誘導されて、特に、第二支柱３７の一端部４１と第三支柱３８の一端部４３の相互間に形成された隙間に向けて移動しやすくなる。すなわち粒状物は、他の２つの隙間よりも一端部４１と一端部４３の相互間の隙間の方により入りやすいため、３つの粒状物が３つの隙間に同時に入り込む状況は発生しにくくなっている。よって本実施形態の粒状物収納容器用キャップ１Ｃにおいても、粒状物が詰まる頻度を減らすことができる。
【００３２】
以上、本発明について具体的な実施形態を示しながら説明したが、本発明に従う粒状物収納容器用キャップは上述した実施形態に限られるものではなく、特許請求の範囲に従う範疇で種々の変更を加えたものも含まれる。例えば前述した３つの実施形態は、何れも第一支柱、第二支柱、及び第三支柱を、それらの一端部や他端部で直接的に連結するものであったが、例えば板状の部材やブロック状の部材を介してこれらの支柱を間接的に連結するものでもよい。また図４（ｂ）に示した第二実施形態において、第一支柱２７の一端部３０と第二支柱２８の一端部３２の間隔は、他の端部間の間隔よりも広くなっているが、他の端部間の間隔を広げてもよいし、全て等しい間隔でもよい。また、図６（ｂ）に示した第三実施形態における第一リブ４５、第二リブ４６、第三リブ４７を、他の実施形態に設けてもよい。またヒンジ４を廃止してキャップ本体２と蓋体３を分離し、例えばキャップ本体２に雄ねじ部を設けるとともに蓋体３に雌ねじ部を設け、両者を螺合させるようにしてもよい。またこれらのねじ部に替えてアンダーカットによって、両者を着脱可能に係合させるようにしてもよい。
【符号の説明】
【００３３】
１Ａ、１Ｂ、１Ｃ：粒状物収納容器用キャップ
２：キャップ本体
３：蓋体
４：ヒンジ
５：外周壁
６：雌ねじ部
７：天壁
８：シール壁
９：開口
１０：取出筒
１１：第一支柱
１２：第二支柱
１３：第三支柱
１４：第一支柱の一端部
１５：第一支柱の他端部
１６：第一支柱の中間部
１７：第二支柱の一端部
１８：第二支柱の他端部
１９：第二支柱の中間部
２０：第三支柱の一端部
２１：第三支柱の他端部
２２：第三支柱の中間部
２３：蓋体外周壁
２４：蓋体頂壁
２５：環状壁
２６：蓋体シール壁
２７：第一支柱
２８：第二支柱
２９：第三支柱
３０：第一支柱の一端部
３１：第一支柱の他端部
３２：第二支柱の一端部
３３：第二支柱の他端部
３４：第三支柱の一端部
３５：第三支柱の他端部
３６：第一支柱
３７：第二支柱
３８：第三支柱
３９：第一支柱の一端部
４０：第一支柱の他端部
４１：第二支柱の一端部
４２：第二支柱の他端部
４３：第三支柱の一端部
４４：第三支柱の他端部
４５：第一リブ
４６：第二リブ
４７：第三リブ
【図１】
2020037416.tif 000003
【図２】
2020037416.tif 000004
【図３】
2020037416.tif 000005
【図４】
2020037416.tif 000006
【図５】
2020037416.tif 000007
【図６】
2020037416.tif 000008